(57)【要約】アナログ無線送信機中において大きな温度変化（１６８）が検出されたときに、送信機中の実数（１８４）および虚数（１８６）信号パス上で発生するキャリアリークを抑制するのに使用される少なくとも１つのＤＣオフセット補償値を決定する方法およびシステムである。少なくとも１つのＤＣオフセット補償値に対応するレベルを有する少なくとも１つのＤＣオフセット信号が、ディジタルＤＣオフセット補償モジュールに与えられ、ディジタルＤＣオフセット補償モジュールは、実数と虚数の信号パス（１８４と１８６）の少なくとも一方のＤＣレベルを調整する。
2006527530.tif 000002
【特許請求の範囲】
【請求項１】
（ａ）実数および虚数信号入力を有するアナログ無線送信機と、
（ｂ）前記アナログ無線送信機と通信し、実数および虚数信号入力を有するディジタルＤＣオフセット補償モジュールであって、前記実数と虚数の信号入力の少なくとも一方のＤＣレベルを調整するように構成されたことと、
（ｃ）前記ディジタルＤＣオフセット補償モジュールと通信するコントローラであって、前記コントローラは、前記アナログ無線送信機中において発生するキャリアリークを抑制するのに使用される少なくとも１つのＤＣオフセット補償値を決定するように構成され、前記コントローラは、前記少なくとも１つのＤＣオフセット補償値に対応するレベルを有する少なくとも１つのＤＣオフセット信号を、前記実数と虚数の信号入力の少なくとも一方に与えることと、
を備えることを特徴とするディジタルベースバンド（ＤＢＢ）送信機。
【請求項２】
（ｄ）前記コントローラと通信し、前記少なくとも１つのＤＣオフセット補償値を記憶するメモリ、
をさらに備えることを特徴とする請求項１に記載のＤＢＢ送信機。
【請求項３】
前記アナログ無線送信機は、前記コントローラと通信する温度センサをさらに含み、前記温度センサが、所定のしきい値よりも大きい温度変化、または所定の値もしくは範囲を超える温度変動を検出した場合、前記コントローラは前記少なくとも１つのＤＣオフセット補償値を決定することを特徴とする請求項１に記載のＤＢＢ送信機。
【請求項４】
ガード時間で隔てられた第１および第２のタイムスロットを含む通信信号を処理し、前記コントローラは前記ガード時間の少なくとも一部の間に前記少なくとも１つのＤＣオフセット補償値を決定することを特徴とする請求項１に記載のＤＢＢ送信機。
【請求項５】
（ｄ）前記ディジタルＤＣオフセット補償モジュールの前記実数および虚数信号入力に選択的に接続され、実数および虚数信号出力を有するモデムと、
（ｅ）前記モデムの前記実数および虚数信号入力、前記ディジタルＤＣオフセット補償モジュールの前記実数および虚数信号入力、並びに前記コントローラにそれぞれ接続される第１および第２のスイッチであって、前記第１および第２のスイッチが前記モデムを前記ディジタルＤＣオフセット補償モジュールの前記実数および虚数信号入力から切断して、前記コントローラを前記ディジタルＤＣオフセット補償モジュールの前記実数および虚数信号入力に接続した後に、前記少なくとも１つのＤＣオフセット補償値が決定されることと、
をさらに備えることを特徴とする請求項１に記載のＤＢＢ送信機。
【請求項６】
前記ディジタルＤＣオフセット補償モジュールは、
（ｉ）前記ディジタルＤＣオフセット補償モジュールの前記実数信号入力に結合された第１の入力、および前記コントローラに結合された第２の入力を有する第１の加算器と、
（ｉｉ）前記ディジタルＤＣオフセット補償モジュールの前記虚数信号入力に結合された第１の入力、および前記コントローラに結合された第２の入力を有する第２の加算器であって、前記コントローラは、前記第１および第２の加算器の前記第２の入力にそれぞれのＤＣオフセット信号を与え、前記それぞれのＤＣオフセット信号は、前記コントローラによって決定された第１および第２のＤＣオフセット補償値にそれぞれ対応するレベルを有することと、
を含むことを特徴とする請求項１に記載のＤＢＢ送信機。
【請求項７】
前記コントローラは、前記少なくとも１つのＤＣオフセット補償値を決定する前に、先に決定されたＤＣオフセット補償値を０に設定することを特徴とする請求項１に記載のＤＢＢ送信機。
【請求項８】
前記アナログ無線送信機はさらに増幅器を含み、前記コントローラは、前記少なくとも１つのＤＣオフセット補償値を決定する前に、前記増幅器を最大利得レベルに設定することを特徴とする請求項１に記載のＤＢＢ送信機。
【請求項９】
前記コントローラは、前記ディジタルＤＣオフセット補償モジュールの前記虚数信号入力を無効として、前記ディジタルＤＣオフセット補償モジュールの前記実数信号入力に異なるＤＣオフセット電圧のセットを印加することを特徴とする請求項１に記載のＤＢＢ送信機。
【請求項１０】
前記異なるＤＣオフセット電圧のセットは、ほぼ放物線の関数に従って印加され、前記コントローラは、前記放物線関数上の少なくとも３つの測定点の補間を実施して、前記放物線関数の最小値に関連付けられた最小検出測定値を決定することを特徴とする請求項９に記載のＤＢＢ送信機。
【請求項１１】
前記コントローラは、前記最小検出測定値に基づいて前記ＤＣオフセット補償値を決定することを特徴とする請求項１０に記載のＤＢＢ送信機。
【請求項１２】
前記アナログ無線送信機は、ＬＯ周波数のＬＯ信号を出力する局部発振器（ＬＯ）を有する変調器を含み、前記最小検出測定値は前記ＬＯ周波数における前記実数信号入力に対して決定されることを特徴とする請求項１１に記載のＤＢＢ送信機。
【請求項１３】
前記コントローラは、前記ディジタルＤＣオフセット補償モジュールの前記実数信号入力を無効にして、前記ディジタルＤＣオフセット補償モジュールの前記虚数信号入力に異なるＤＣオフセット電圧のセットを印加することを特徴とする請求項１に記載のＤＢＢ送信機。
【請求項１４】
前記異なるＤＣオフセット電圧のセットは、ほぼ放物線の関数に従って印加され、前記コントローラは、前記放物線関数上の少なくとも３つの測定点の補間を実施して、前記放物線関数の最小値に関連付けられた最小検出測定値を決定することを特徴とする請求項１３に記載のＤＢＢ送信機。
【請求項１５】
前記コントローラは、前記最小検出測定値に基づいて前記ＤＣオフセット補償値を決定することを特徴とする請求項１４に記載のＤＢＢ送信機。
【請求項１６】
前記アナログ無線送信機は、ＬＯ周波数のＬＯ信号を出力する局部発振器（ＬＯ）を有する変調器をさらに含み、前記最小検出測定値は前記ＬＯ周波数において前記虚数信号入力に対して決定されることを特徴とする請求項１５に記載のＤＢＢ送信機。
【請求項１７】
（ａ）実数および虚数信号入力を有するアナログ無線送信機と、
（ｂ）前記アナログ無線送信機と通信し、実数および虚数信号入力を有するディジタルＤＣオフセット補償モジュールであって、前記実数と虚数の信号入力の少なくとも一方のＤＣレベルを調整するように構成されたことと、
（ｃ）前記ディジタルＤＣオフセット補償モジュールと通信するコントローラであって、前記コントローラは、前記アナログ無線送信機中で発生するキャリアリークを抑制するのに使用される少なくとも１つのＤＣオフセット補償値を決定するように構成され、前記コントローラは、前記少なくとも１つのＤＣオフセット補償値に対応するレベルを有する少なくとも１つのＤＣオフセット信号を、前記実数と虚数の信号入力の少なくとも一方に与えることと、
を備えることを特徴とする無線送信／受信ユニット（ＷＴＲＵ）。
【請求項１８】
（ｄ）前記コントローラと通信し、前記少なくとも１つのＤＣオフセット補償値を記憶するメモリ、
をさらに備えることを特徴とする請求項１７に記載のＷＴＲＵ。
【請求項１９】
前記アナログ無線送信機は、前記コントローラと通信する温度センサをさらに含み、前記温度センサが、所定のしきい値よりも大きい温度変化、または所定の値もしくは範囲を超える温度変動を検出した場合、前記コントローラは前記少なくとも１つのＤＣオフセット補償値を決定することを特徴とする請求項１７に記載のＷＴＲＵ。
【請求項２０】
ガード時間で隔てられた第１および第２のタイムスロットを含む通信信号を処理し、前記コントローラは前記ガード時間の少なくとも一部の間に前記少なくとも１つのＤＣオフセット補償値を決定することを特徴とする請求項１７に記載のＷＴＲＵ。
【請求項２１】
（ｄ）前記ディジタルＤＣオフセット補償モジュールの前記実数および虚数信号入力に選択的に接続され、実数および虚数信号出力を有するモデムと、
（ｅ）前記モデムの前記実数および虚数信号出力、前記ディジタルＤＣオフセット補償モジュールの前記実数および虚数信号入力、並びに前記コントローラにそれぞれ接続される第１および第２のスイッチであって、前記第１および第２のスイッチが前記モデムを前記ディジタルＤＣオフセット補償モジュールの前記実数および虚数信号入力から切断して、前記コントローラを前記ディジタルＤＣオフセット補償モジュールの前記実数および虚数信号入力に接続した後に、前記少なくとも１つのＤＣオフセット補償値が決定されることと、
をさらに備えること特徴とする請求項１７に記載のＷＴＲＵ。
【請求項２２】
前記ディジタルＤＣオフセット補償モジュールは、
（ｉ）前記ディジタルＤＣオフセット補償モジュールの前記実数信号入力に結合された第１の入力、および前記コントローラに結合された第２の入力を有する第１の加算器と、
（ｉｉ）前記ディジタルＤＣオフセット補償モジュールの前記虚数信号入力に結合された第１の入力、および前記コントローラに結合された第２の入力を有する第２の加算器であって、前記コントローラは、前記第１および第２の加算器の前記第２の入力にそれぞれのＤＣオフセット信号を与え、前記それぞれのＤＣオフセット信号は、前記コントローラによって決定された第１および第２のＤＣオフセット補償値にそれぞれ対応するレベルを有することと、
を含むことを特徴とする請求項１７に記載のＷＴＲＵ。
【請求項２３】
前記コントローラは、前記少なくとも１つのＤＣオフセット補償値を決定する前に、先に決定されたＤＣオフセット補償値を０に設定することを特徴とする請求項１７に記載のＷＴＲＵ。
【請求項２４】
前記アナログ無線送信機はさらに増幅器を含み、前記コントローラは、前記少なくとも１つのＤＣオフセット補償値を決定する前に、前記増幅器を最大利得レベルに設定することを特徴とする請求項１７に記載のＷＴＲＵ。
【請求項２５】
前記コントローラは、前記ディジタルＤＣオフセット補償モジュールの前記虚数信号入力を無効にして、前記ディジタルＤＣオフセット補償モジュールの前記実数信号入力に異なるＤＣオフセット電圧のセットを印加することを特徴とする請求項１７に記載のＷＴＲＵ。
【請求項２６】
前記異なるＤＣオフセット電圧のセットは、ほぼ放物線の関数に従って印加され、前記コントローラは、前記放物線関数上の少なくとも３つの測定点の補間を実施して、前記放物線関数の最小値に関連付けられた最小検出測定値を決定することを特徴とする請求項２５に記載のＷＴＲＵ。
【請求項２７】
前記コントローラは、前記最小検出測定値に基づいて前記ＤＣオフセット補償値を決定することを特徴とする請求項２６に記載のＷＴＲＵ。
【請求項２８】
前記アナログ無線送信機は、ＬＯ周波数のＬＯ信号を出力する局部発振器（ＬＯ）を有する変調器を含み、前記最小検出測定値は前記ＬＯ周波数において前記実数信号入力に対して決定されることを特徴とする請求項２７に記載のＷＴＲＵ。
【請求項２９】
前記コントローラは、前記ディジタルＤＣオフセット補償モジュールの前記実数信号入力を無効にして、前記ディジタルＤＣオフセット補償モジュールの前記虚数信号入力に異なるＤＣオフセット電圧のセットを印加することを特徴とする請求項１７に記載のＷＴＲＵ。
【請求項３０】
前記異なるＤＣオフセット電圧のセットは、ほぼ放物線の関数に従って印加され、前記コントローラは、前記放物線関数上の少なくとも３つの測定点の補間を実施して、前記放物線関数の最小値に関連付けられた最小検出測定値を決定することを特徴とする請求項２９に記載のＷＴＲＵ。
【請求項３１】
前記コントローラは、前記最小検出測定値に基づいて前記ＤＣオフセット補償値を決定することを特徴とする請求項３０に記載のＷＴＲＵ。
【請求項３２】
前記アナログ無線送信機は、ＬＯ周波数のＬＯ信号を出力する局部発振器（ＬＯ）を有する変調器をさらに含み、前記最小検出測定値は前記ＬＯ周波数において前記虚数信号入力に対して決定されることを特徴とする請求項３１に記載のＷＴＲＵ。
【請求項３３】
（ａ）実数および虚数信号入力を有するアナログ無線送信機と、
（ｂ）前記アナログ無線送信機と通信し、実数および虚数信号入力を有するディジタルＤＣオフセット補償モジュールであって、前記実数と虚数の信号入力の少なくとも一方のＤＣレベルを調整するように構成されたことと、
（ｃ）前記ディジタルＤＣオフセット補償モジュールと通信するコントローラであって、前記コントローラは、前記アナログ無線送信機中で発生するキャリアリークを抑制するのに使用される少なくとも１つのＤＣオフセット補償値を決定するように構成され、前記コントローラは、前記少なくとも１つのＤＣオフセット補償値に対応するレベルを有する少なくとも１つのＤＣオフセット信号を、前記実数と虚数の信号入力の少なくとも一方に与えることと、
を備えることを特徴とする集積回路（ＩＣ）。
【請求項３４】
（ｄ）前記コントローラと通信し、前記少なくとも１つのＤＣオフセット補償値を記憶するメモリ、
をさらに備えることを特徴とする請求項３３に記載のＩＣ。
【請求項３５】
前記アナログ無線送信機は、前記コントローラと通信する温度センサをさらに含み、前記温度センサが、所定のしきい値よりも大きい温度変化、または所定の値もしくは範囲を超える温度変動を検出した場合、前記コントローラは前記少なくとも１つのＤＣオフセット補償値を決定することを特徴とする請求項３３に記載のＩＣ。
【請求項３６】
ガード時間で隔てられた第１および第２のタイムスロットを含む通信信号を処理し、前記コントローラは前記ガード時間の少なくとも一部の間に前記少なくとも１つのＤＣオフセット補償値を決定することを特徴とする請求項３３に記載のＩＣ。
【請求項３７】
（ｄ）前記ディジタルＤＣオフセット補償モジュールの前記実数および虚数信号入力に選択的に接続され、実数および虚数信号出力を有するモデムと、
（ｅ）前記モデムの前記実数および虚数信号出力、並びに前記ディジタルＤＣオフセット補償モジュールの前記実数および虚数信号入力にそれぞれ接続される第１および第２のスイッチであって、前記第１および第２のスイッチが前記モデムを前記ディジタルＤＣオフセット補償モジュールの前記実数および虚数信号入力から切断して、前記コントローラを前記ディジタルＤＣオフセット補償モジュールの前記実数および虚数信号入力に接続した後に、前記少なくとも１つのＤＣオフセット補償値が決定されることと、
をさらに備えること特徴とする請求項３３に記載のＩＣ。
【請求項３８】
前記ディジタルＤＣオフセット補償モジュールは、
（ｉ）前記ディジタルＤＣオフセット補償モジュールの前記実数信号入力に結合された第１の入力、および前記コントローラに結合された第２の入力を有する第１の加算器と、
（ｉｉ）前記ディジタルＤＣオフセット補償モジュールの前記虚数信号入力に結合された第１の入力、および前記コントローラに結合された第２の入力を有する第２の加算器であって、前記コントローラは、前記第１および第２の加算器の前記第２の入力にそれぞれのＤＣオフセット信号を提供し、前記それぞれのＤＣオフセット信号は、前記コントローラによって決定された第１および第２のＤＣオフセット補償値にそれぞれ対応するレベルを有することと、
を含むことを特徴とする請求項３３に記載のＩＣ。
【請求項３９】
前記コントローラは、前記少なくとも１つのＤＣオフセット補償値を決定する前に、先に決定されたＤＣオフセット補償値を０に設定することを特徴とする請求項３３に記載のＩＣ。
【請求項４０】
前記アナログ無線送信機はさらに増幅器を含み、前記コントローラは、前記少なくとも１つのＤＣオフセット補償値を決定する前に、前記増幅器を最大利得レベルに設定することを特徴とする請求項３３に記載のＩＣ。
【請求項４１】
前記コントローラは、前記ディジタルＤＣオフセット補償モジュールの前記虚数信号入力を無効にして、前記ディジタルＤＣオフセット補償モジュールの前記実数信号入力に異なるＤＣオフセット電圧のセットを印加することを特徴とする請求項３３に記載のＩＣ。
【請求項４２】
前記異なるＤＣオフセット電圧のセットは、ほぼ放物線の関数に従って印加され、前記コントローラは、前記放物線関数上の少なくとも３つの測定点の補間を実施して、前記放物線関数の最小値に関連付けられた最小検出測定値を決定することを特徴とする請求項４１に記載のＩＣ。
【請求項４３】
前記コントローラは、前記最小検出測定値に基づいて前記ＤＣオフセット補償値を決定することを特徴とする請求項４２に記載のＩＣ。
【請求項４４】
前記アナログ無線送信機は、ＬＯ周波数のＬＯ信号を出力する局部発振器（ＬＯ）を有する変調器を含み、前記最小検出測定値は前記ＬＯ周波数において前記実数信号入力に対して決定されることを特徴とする請求項４３に記載のＩＣ。
【請求項４５】
前記コントローラは、前記ディジタルＤＣオフセット補償モジュールの前記実数信号入力を無効にして、前記ディジタルＤＣオフセット補償モジュールの前記虚数信号入力に異なるＤＣオフセット電圧のセットを印加することを特徴とする請求項３３に記載のＩＣ。
【請求項４６】
前記異なるＤＣオフセット電圧のセットは、ほぼ放物線の関数に従って印加され、前記コントローラは、前記放物線関数上の少なくとも３つの測定点の補間を実施して、前記放物線関数の最小値に関連付けられた最小検出測定値を決定することを特徴とする請求項４５に記載のＩＣ。
【請求項４７】
前記コントローラは、前記最小検出測定値に基づいて前記ＤＣオフセット補償値を決定することを特徴とする請求項４６に記載のＩＣ。
【請求項４８】
前記アナログ無線送信機は、ＬＯ周波数のＬＯ信号を出力する局部発振器（ＬＯ）を有する変調器をさらに含み、前記最小検出測定値は前記ＬＯ周波数において前記虚数信号入力に対して決定されることを特徴とする請求項４７に記載のＩＣ。
【請求項４９】
実数および虚数信号入力を有するアナログ無線送信機と、前記アナログ無線送信機と通信し、実数および虚数信号入力を有するディジタルＤＣオフセット補償モジュールと、前記ディジタルＤＣオフセット補償モジュールと通信するコントローラとを備える無線通信システム中において、前記実数と虚数の信号入力の少なくとも一方のＤＣレベルを調整する方法であって、
（ａ）前記コントローラが、前記アナログ無線送信機中で発生するキャリアリークを抑制するのに使用される少なくとも１つのＤＣオフセット補償値を決定するステップと、
（ｂ）前記コントローラが、前記少なくとも１つのＤＣオフセット補償値に対応するレベルを有する少なくとも１つのＤＣオフセット信号を、前記実数と虚数の信号入力の少なくとも一方に与えるステップと、
を備えることを特徴とする方法。
【請求項５０】
（ｃ）前記少なくとも１つのＤＣオフセット補償値をメモリに記憶するステップ、
をさらに備えることを特徴とする請求項４９に記載の方法。
【請求項５１】
前記アナログ無線送信機は、前記コントローラと通信する温度センサをさらに含み、前記温度センサが、所定のしきい値よりも大きい温度変化、または所定の値もしくは範囲を超える温度変動を検出したのに応答して、前記ステップ（ａ）が実施されることを特徴とする請求項４９に記載の方法。
【請求項５２】
前記通信システムは、ガード時間で隔てられた第１および第２のタイムスロットを含む通信信号を処理し、前記コントローラは前記ガード時間の少なくとも一部の間に前記少なくとも１つのＤＣオフセット補償値を決定することを特徴とする請求項４９に記載の方法。
【請求項５３】
前記アナログ無線送信機は、増幅器をさらに含み、
（ｃ）前記コントローラが、先に決定されたＤＣオフセット補償値を０に設定するステップと、
（ｄ）前記コントローラが、前記増幅器を最大利得レベルに設定するステップと、
をさらに備えることを特徴とする請求項４９に記載の方法。
【請求項５４】
（ｃ）前記コントローラを前記ディジタルＤＣオフセット補償モジュールの前記実数および虚数信号入力に接続するステップと、
（ｄ）前記コントローラが前記ディジタルＤＣオフセット補償モジュールの前記虚数信号入力を無効にして、ほぼ放物線の関数に従って、前記ディジタルＤＣオフセット補償モジュールの前記実数信号入力に異なるＤＣオフセット電圧のセットを印加するステップと、
（ｅ）前記コントローラが前記放物線関数上の少なくとも３つの測定点の補間を実施して、前記放物線関数の最小値に関連付けられた最小検出測定値を決定するステップと、
（ｆ）前記コントローラが前記最小検出測定値に基づいて前記ＤＣオフセット補償値を決定するステップと、
をさらに備えることを特徴とする請求項４９に記載の方法。
【請求項５５】
前記アナログ無線送信機は、ＬＯ周波数のＬＯ信号を出力する局部発振器（ＬＯ）を有する変調器をさらに含み、前記最小検出測定値は前記ＬＯ周波数において前記実数信号入力に対して決定されることを特徴とする請求項５４に記載の方法。
【請求項５６】
（ｃ）前記コントローラを前記ディジタルＤＣオフセット補償モジュールの前記実数および虚数信号入力に接続するステップと、
（ｄ）前記コントローラが前記ディジタルＤＣオフセット補償モジュールの前記実数信号入力を無効にして、ほぼ放物線の関数に従って、前記ディジタルＤＣオフセット補償モジュールの前記虚数信号入力に異なるＤＣオフセット電圧のセットを印加するステップと、
（ｅ）前記コントローラが前記放物線関数上の少なくとも３つの測定点の補間を実施して、前記放物線関数の最小値に関連付けられた最小検出測定値を決定するステップと、
（ｆ）前記コントローラが前記最小検出測定値に基づいて前記ＤＣオフセット補償値を決定するステップと、
をさらに備えることを特徴とする請求項４９に記載の方法。
【請求項５７】
前記アナログ無線送信機は、ＬＯ周波数のＬＯ信号を出力する局部発振器（ＬＯ）を有する変調器をさらに含み、前記最小検出測定値は前記ＬＯ周波数において前記虚数信号入力に対して決定されることを特徴とする請求項５６に記載の方法。
【発明の詳細な説明】
【技術分野】
【０００１】
本発明は一般に、無線通信システムにおける送信機設計に関する。より具体的には、本発明は、アナログ無線送信機中で引き起こされたキャリアリークを補償するのに使用されるディジタル信号処理（ＤＳＰ）技術に関する。
【背景技術】
【０００２】
既存の無線システムアーキテクチャ構成は、通信信号の送信に関して、システム設計者に厳しい制約を課している。さらに、このような構成はしばしば、信頼性の低い通信リンク、高い運用コスト、および他のシステム部品との望ましくない低い統合レベルをもたらす。
【０００３】
アナログ部品で構成された従来の低コスト無線送信機の無線周波数（ＲＦ）セクション中では、ＲＦ信号が処理されるとき、かなりのレベルの歪みが発生する。より良好な歪み特性を持つより高コストの部品は、信号品質を向上させるが、最終的な製品のコストを削減するために設計段階中において、大目に見られる場合がある。
【０００４】
例えば、従来の無線通信システムに関連する一般的な問題の１つは、アナログ無線送信機の変調器に使用される局部発振器（ＬＯ）信号が、送信機中のＲＦ電力増幅器の出力中にリークすることである。このＬＯリークは、送信機中のアナログ回路部品に関連してＬＯのアイソレーションが最適でないこと、並びに、アナログ回路部品中の不整合および不完全性のために、変調器のミクサ段での避けられない直流（ＤＣ）オフセット電圧があることによって引き起こされる。
【０００５】
キャリアリークを抑制する理由はいくつかある。ユニバーサルモバイルテレコミュニケーションシステム（ＵＭＴＳ、ｕｎｉｖｅｒｓａｌ  ｍｏｂｉｌｅ  ｔｅｌｅｃｏｍｍｕｎｉｃａｔｉｏｎｓ  ｓｙｓｔｅｍ）を含めた多くの移動通信システムの技術仕様は、周波数の関数として最大許容放射信号エネルギーを示すマスクを定義している。マスク内に入らない放射信号は、スプリアス発射を規制する既存の連邦通信委員会（ＦＣＣ、Ｆｅｄｅｒａｌ  Ｃｏｍｍｕｎｉｃａｔｉｏｎ  Ｃｏｍｍｉｓｓｉｏｎ）または他の規則を破る場合があり、通信システムによって提供されるサービスを混乱させる場合がある。さらに、ＲＦ電力増幅器の出力における不要な搬送波成分は、信号レベルが増大してしまうためにＲＦ電力増幅器の線形性を劣化させる可能性がある。
【発明の開示】
【発明が解決しようとする課題】
【０００６】
ヘテロダイン回路を利用する送信機および送受信機では、正しい周波数プランニングおよびフィルタリングを用いることによって、ＬＯフィードスルーを劇的に減少させることができる。しかし、ブロードバンドシステムの場合、ＲＦ帯域とＬＯ帯域はしばしば重なる。ホモダイン送信機の場合、ＲＦ帯域とＬＯ帯域は、ほぼ常に重なる。
【０００７】
ＬＯリークを抑制するために、ＲＦパラメータの平衡技法を利用する方法を含めていくつかの現行方法が存在する。しかし、実際の部品の許容誤差については、約３０ｄＢのキャリアリーク抑圧よりも良好なことは滅多にない。
【０００８】
正しくレベル調整され位相シフトされたＬＯ信号の一部をＲＦ信号に加える別の技法は、非常に複雑なミクサが必要となるという欠点を持っている。
【０００９】
ＲＦアナログ信号を処理する部品のコストは、ＤＳＰを使用する部品のコストよりも高いので、雑音が小さく消費電力が最小限である低コスト送信機を備えたディジタルベースバンド（ＤＢＢ）システムであって、ＤＳＰ技法を利用して、アナログ無線送信機中のキャリアリークを抑制するより複雑さの少ない性能の良い方法およびシステムを提供するＤＢＢシステムを提供することが望まれている。
【課題を解決するための手段】
【００１０】
アナログ無線送信機中で大きな温度変化が検出されたときに、送信機中の実数（実軸）信号パスおよび虚数（虚軸）信号パス上で発生するキャリアリークを抑制するのに使用される少なくとも１つのＤＣオフセット補償値を、決定するために用いられる方法およびシステム。少なくとも１つのＤＣオフセット補償値に対応するレベルを有する少なくとも１つのＤＣオフセット信号が、ディジタルＤＣオフセット補償モジュールに与えられ、ディジタルＤＣオフセット補償モジュールは、実数と虚数の信号パスの少なくとも一方のＤＣレベルを調整する。
【００１１】
本発明は、ＤＢＢ送信機、ＷＴＲＵ、ＩＣ、無線通信システムおよび方法、またはその他の任意の所望の通信機構に組み入れることができる。本発明は、実数および虚数信号入力を有するアナログ無線送信機と、アナログ無線送信機と通信し、実数および虚数信号入力を有するディジタルＤＣオフセット補償モジュールと、コントローラとを備える。ディジタルＤＣ補償モジュールは、実数と虚数の信号入力の少なくとも一方のＤＣレベルを調整するように構成される。コントローラは、ディジタルＤＣオフセット補償モジュールと通信する。コントローラは、アナログ無線送信機中で発生するキャリアリークを抑制するのに使用される少なくとも１つのＤＣオフセット補償値を決定するように構成される。コントローラは、少なくとも１つのＤＣオフセット補償値に対応するレベルを有する少なくとも１つのＤＣオフセット信号を、実数と虚数の信号入力の少なくとも一方に与える。
【００１２】
本発明はさらに、コントローラと通信するメモリを備えることもできる。メモリは、少なくとも１つのＤＣオフセット補償値を記憶する。アナログ無線送信機はさらに、コントローラと通信する温度センサを備えることもできる。温度センサが、所定のしきい値よりも大きい温度変化、あるいは所定の値または範囲を超える温度変動を検出した場合、コントローラは少なくとも１つのＤＣオフセット補償値を決定する。本発明は、ガード時間（ｇｕａｒｄ  ｐｅｒｉｏｄ）によって隔てられた第１および第２のタイムスロットを含む通信信号を処理することができる。コントローラは、ガード時間の少なくとも一部の間に、少なくとも１つのＤＣオフセット補償値を決定する。
【００１３】
本発明は、ディジタルＤＣオフセット補償モジュールの実数および虚数信号入力に選択的に接続されるモデムを備えることができる。モデムは、実数および虚数信号出力を有することができる。本発明はさらに、モデムの実数および虚数信号出力と、ディジタルＤＣオフセット補償モジュールの実数および虚数信号入力と、コントローラとにそれぞれ接続される第１および第２のスイッチを備えることもできる。少なくとも１つのＤＣオフセット補償値は、このスイッチはモデムをディジタルＤＣオフセット補償モジュールの実数および虚数信号入力から切断して、コントローラをディジタルＤＣオフセット補償モジュールの実数および虚数信号入力に接続した後にで、決定される。
【００１４】
ディジタルＤＣオフセット補償モジュールは、ディジタルＤＣオフセット補償モジュールの実数信号入力に結合された第１の入力と、コントローラに結合された第２の入力とを有する第１の加算器を備えることができる。第２の加算器は、ディジタルＤＣオフセット補償モジュールの虚数信号入力に結合された第１の入力と、コントローラに結合された第２の入力とを有することができる。コントローラは、それぞれのＤＣオフセット信号を、第１および第２の加算器の、第２の入力に提供することができる。それぞれのＤＣオフセット信号は、コントローラによって決定された第１および第２のＤＣオフセット補償値にそれぞれ対応するレベルを有することができる。
【００１５】
コントローラは、少なくとも１つのＤＣオフセット補償値を決定する前に、先に決定されたＤＣオフセット補償値を０に設定することができる。アナログ無線送信機は増幅器を備え、コントローラは、少なくとも１つのＤＣオフセット補償値を決定する前に、増幅器を最大利得レベルに設定する。
【００１６】
コントローラは、ディジタルＤＣオフセット補償モジュールの虚数信号入力を無効（ｄｉｓａｂｌｅ）にして、ディジタルＤＣオフセット補償モジュールの実数信号入力に異なるＤＣオフセット電圧のセットを印加することができる。さらに、コントローラは、ディジタルＤＣオフセット補償モジュールの実数信号入力を無効にして、ディジタルＤＣオフセット補償モジュールの虚数信号入力に異なるＤＣオフセット電圧のセットを印加することができる。
【００１７】
種々のＤＣオフセット電圧の各セットは、ほぼ放物線の関数に従って印加することができ、コントローラは、放物線関数上の少なくとも３つの測定点の補間を実施して、放物線関数の最小値に関連付けられた最小検出測定値（ｍｉｎｉｍｕｍ  ｄｅｔｅｃｔｅｄ  ｒｅａｄｉｎｇ）を決定することができる。コントローラは、最小検出測定値に基づいてＤＣオフセット補償値を決定することができる。
【００１８】
アナログ無線送信機は、ＬＯ周波数のＬＯ信号を出力する局部発振器（ＬＯ）を有する変調器を備えることができ、最小検出測定値は、ＬＯ周波数において実数と虚数のどちらかの信号入力に対して決定される。
【００１９】
本発明のより詳細な理解は、好ましい実施例に関する以下の説明から得られるが、以下の説明は、一例として提供するものであり、添付の図面とともに理解されるべきである。
【発明を実施するための最良の形態】
【００２０】
図１は、本発明の好ましい一実施形態にしたがって構成されたＤＢＢ  ＲＦ送信機１００のブロック図である。送信機１００上で実施される場合に関して本発明に言及するが、本発明は送受信機にも同じように適することを当業者は理解されたい。しかし、わかりやすくするために、送信機１００上で実施される場合に関して本発明を述べる。
【００２１】
本明細書に開示される方法およびシステムは、無線送信／受信ユニット（ＷＴＲＵ）に組み入れられることが好ましい。以下、ＷＴＲＵは、ユーザ装置、移動局、固定または移動加入者ユニット、ページャ、あるいは、無線環境で動作することのできるその他の任意のタイプの装置を含むが、これらに限定されない。本発明の機構は、集積回路（ＩＣ）に組み入れられてもよく、あるいは複数の相互接続される部品を備える回路中において構成されてもよい。
【００２２】
本発明は、時分割複信（ＴＤＤ）、時分割多重アクセス（ＴＤＭＡ）、周波数分割複信（ＦＤＤ）、符号分割多重アクセス（ＣＤＭＡ）、ＣＤＭＡ２０００、時分割同期ＣＤＭＡ（ＴＤＳＣＤＭＡ）、および直交周波数分割多重（ＯＦＤＭ）を使用する通信システムに適用可能である。しかし、本発明は、他のタイプの通信システムにも適用可能と考えられる。
【００２３】
図１に示すように、ＤＢＢ  ＲＦ送信機１００は、モデム１０５と、ディジタル直流（ＤＣ）オフセット補償モジュール１１０と、少なくとも１つのディジタルアナログ変換器（ＤＡＣ）１１５と、アナログ無線送信機１２５と、少なくとも１つのアナログディジタル変換器（ＡＤＣ）１３０と、コントローラ１３５と、リードライトメモリ１４０とを備える。
【００２４】
アナログ無線送信機１２５は、変調器１４５と、電力増幅器（ＰＡ）１５０と、結合ユニット（例えば方向性結合器やサンプル伝送線）１５５と、アンテナ１６０と、検波器１６５と、温度センサ１６８とを備える。
【００２５】
アナログ無線送信機１２５の変調器１４５は、ＬＯ１７０と、第１および第２の変調器１７５および１８０と、加算器１８２とを備える。
【００２６】
ＤＢＢ  ＲＦ送信機１００中で、モデム１０５は、ディジタルＤＣオフセット補償モジュール１１０を介してＤＡＣ１１５に同相（Ｉ）および直交（Ｑ）信号成分を出力する。ＩおよびＱ信号成分に基づいて、ＤＡＣ１１５は、アナログ実数信号１８４を第１の変調器１７５に出力し、アナログ虚数信号１８６を第２の変調器１８０に出力する。変調器１４５のＬＯ１７０は、第１の変調器１７５および第２の変調器１８０それぞれにＬＯ入力信号１８８を与える。第１の変調器１７５および第２の変調器１８０の出力は、加算器１８２によって加算されて、アナログ複素変調信号１９０が生成され、このアナログ複素変調信号１９０はＰＡ１５０に入力される。アナログ複素変調信号１９０を受け取ったのに応答して、ＰＡ１５０は送信機出力信号１９２を出力し、この送信機出力信号１９２は、アナログ無線送信機１２５のアンテナ１６０から出力される。送信機出力信号１９２は、検波器１６５によって結合器１５５を介してモニタされる。検波器１６５はフィードバック信号１９４を生成するが、このフィードバック信号１９４は、送信機出力信号１９２に応じた大きさの検波測定値を与える。
【００２７】
ＡＤＣ１３０は、フィードバック信号１９４を受け取り、ディジタル信号１９５をコントローラ１３５に出力する。コントローラ１３５もまた、送信機出力信号１９２の振幅を制御するための振幅制御信号１９６をＰＡ１５０に提供する。さらに、コントローラ１３５は、メモリ１４０に記憶された様々な値に基づいて、ＤＡＣ１１５およびＡＤＣ１３０の動作を制御する。
【００２８】
ＤＢＢ  ＲＦ送信機１００はさらに、モデム１０５とコントローラ１３５とに接続されたスイッチ１９８Ａおよび１９８Ｂも備える。通常動作中は、スイッチ１９８Ａおよび１９８Ｂは、モデム１０５のＩおよびＱ信号出力を、ディジタルＤＣオフセット補償モジュール１１０のそれぞれのＩおよびＱ信号入力に接続する。ＤＣオフセット補償調整手順を実施する必要があるときは、コントローラ１３５は、ディジタルＤＣオフセット補償モジュール１１０のＩ（実数）およびＱ（虚数）信号入力をコントローラ１３５に接続するよう、スイッチ１９８Ａおよび１９８Ｂに信号伝達し、それによりコントローラ１３５は、ＤＣレベル掃引信号１９９Ａおよび１９９Ｂを介して、ディジタルＤＣオフセット補償モジュール１１０の実数および虚数入力に様々なＤＣオフセット電圧を注入することができる。ＤＣレベル掃引信号１９９Ａおよび１９９Ｂを介してコントローラ１３５から入力されたＤＣオフセット電圧に基づいて、コントローラ１３５によってディジタル信号１９５に基づくそれぞれの最小検出測定値が決定される。検出測定値に基づいて第１および第２のＤＣオフセット補償値Ｋ１およびＫ２が決定され、これらの値は、ＤＢＢ  ＲＦ送信機１００の全体にわたってＩ信号成分およびＱ信号成分のＤＣレベルを調整するのに使用される。
【００２９】
図２は、好ましくないＤＣオフセットを相殺することによってキャリアリークを除去するのに使用されるディジタルＤＣオフセット補償モジュール１１０の、例示的な構成を示す。ディジタルＤＣオフセット補償モジュール１１０は、加算器２０５および２１０を備え、加算器２０５および２１０は、Ｉ信号成分およびＱ信号成分をそれぞれ受け取り、ＤＣオフセット補償値Ｋ１およびＫ２に対応するレベルを有するＤＣオフセット信号２１５および２２０をそれぞれ加えることによって、それらのＤＣレベル特性を調整する。ＤＣオフセット補償値Ｋ１およびＫ２は、ディジタル信号１９５から提供されるデータに対してコントローラ１３５が様々なアルゴリズム、関数、および／または補間を実施することによって導出することができる。Ｋ１およびＫ２の値は、コントローラ１３５がＤＣオフセット（キャリアリーク）補償調整手順を開始することによって決定される。Ｋ１およびＫ２の値に対応するレベルを有するＤＣオフセット信号２１５および２２０は、コントローラ１３５からディジタルＤＣオフセット補償モジュール１１０に与えられ、次いで、加算器２０５および２１０をそれぞれ介してＩ信号成分およびＱ信号成分に加えられる。
【００３０】
図３は、２つのタイムスロット３１０と３１５の間にあるガード時間３０５を有する通信信号３００の例を示す。この例示的な通信信号は、ＤＢＢ  ＲＦ送信機１００がＴＤＤ、ＴＤＭＡ、ＴＤＳＣＤＭＡ、またはその他のタイムスロット方式の送信機であるという仮定の下に使用することができる。この例においては、通信信号３００中のデータは、タイムスロット３１０および３１５を介して通信される。したがって、通信信号３００のタイムスロット３１０および３１５中のデータを乱さずにキャリアリーク補償のための調整を実施することのできる唯一の時は、ガード時間３０５など１つまたは複数のガード時間の少なくとも一部の間である。本発明の一実施形態によれば、１つまたは引き続く複数のガード時間３０５の少なくとも一部の間に、キャリアリーク補償調整手順３２０を実施することができる。
【００３１】
図４は、図１のＤＢＢ  ＲＦ送信機１００に適用されるキャリアリーク対ＤＣオフセットを示すグラフ４００である。本発明の一実施形態では、ＤＣレベル掃引信号１９９Ａおよび１９９Ｂによって与えられる様々なＤＣオフセット電圧は、ＤＣオフセット対キャリアリークのほぼ放物線の関数４０５に従って、放物線関数４０５の測定点４１０、４１５、４２０に対応する少なくとも３つの検出測定値の値に基づいて生成することができる。図４の放物線関数４０５は、説明のために一般的な放物線関数として示してあるが、放物線のような関数、さらには放物線でない関数を利用することもできる。利用される関数は、アナログ無線送信機１２５中で使用される検波器１６５のタイプに応じて決まることになる。
【００３２】
ほぼ放物線の関数４０５の最小点４２５の値に基づく最小検出測定値が、実数および虚数の信号成分Ｉおよび信号成分Ｑのそれぞれにつき決定される。最小点４２５の値は、放物線関数４０５上の少なくとも３つの測定点４１０、４１５、４２０に関連付けられた検出測定値に基づいて補間することができる。その後、コントローラ１３５は、それぞれのＤＣオフセット電圧を、ディジタルＤＣオフセット補償モジュール１１０の加算器２０５および２１０に、それぞれの信号入力成分Ｉおよび入力成分Ｑと組み合わせられるように与える。
【００３３】
図５Ａおよび図５Ｂは共に、本発明の好ましい一実施形態による、ディジタルＤＣオフセット補償モジュール１１０を調整する少なくとも１つのＤＣオフセット補償値を決定するのに使用される方法ステップを含む例示的なプロセス５００のフローチャートである。ステップ５０５で、温度センサ１６８によって、アナログ無線送信機１２５またはその中の特定部品の温度がモニタされる。ステップ５１０で、温度センサ１６８が、所定のしきい値よりも大きい温度変化の発生、あるいは所定の値または範囲を超える温度変動の発生をコントローラ１３５に示した場合は、ステップ５１５で、ステップ５２０〜５７０を含むＤＣオフセット補償調整手順を実施できるかどうかが判定される。例えば、ＤＢＢ  ＲＦ送信機１００が、図３に示したタイムスロットベースの通信信号３００を処理している場合、プロセス５００は、第１のタイムスロット３１０中のデータが処理されてガード時間３０５が始まるまでステップ５１５に留まり、その後、ＤＣオフセット補償調整手順のステップに進むことになる。
【００３４】
ステップ５１０および５１５は、ＤＢＢ  ＲＦ送信機１００の初期化中はバイパスすることができ、それによりコントローラ１３５は、ＤＢＢ  ＲＦ送信機１００の通常使用に先立ってＤＣオフセット補償値Ｋ１およびＫ２を更新することができる。さらに、ＤＣオフセット補償値の更新は、繰り返し、または定期的に、または温度センサ１６８によってモニタされた温度に応答して、または別のタイプの制御方式に従って実施することができる。例えば、ステップ５１０で、ＤＢＢ  ＲＦ送信機１００のＩ信号成分およびＱ信号成分のＤＣレベル特性に影響を及ぼすかもしれないパラメータを検出するバイアス電流検出器または他の任意の検出器を、単独でまたは温度センサ１６８と共に使用して、ＤＣオフセット補償調整手順を開始することができる。
【００３５】
ステップ５２０で、ＤＣオフセット補償調整を行うための実際の第１ステップは、コントローラ１３５が、スイッチ１９８Ａおよび１９８Ｂに対して、ディジタルＤＣオフセット補償モジュール１１０の実数および虚数信号入力をモデム１０５から切断し、その代わりにディジタルＤＣオフセット補償モジュール１１０の実数および虚数信号入力をコントローラ１３５に接続するよう命令することによって開始する。したがって、ＲＦがアナログ無線送信機１２５の変調器１４５に入力されることはない。ステップ５２５で、コントローラ１３５は、ディジタルＤＣオフセット補償モジュール１１０に与えられるＤＣオフセット補償値Ｋ１およびＫ２を０に設定する。あるいは、コントローラ１３５は、ＤＣオフセット補償調整手順を用いて、Ｋ１およびＫ２の既存の値を調整することもできる。ステップ５３０で、コントローラ１３５は、振幅制御信号１９６を介してＰＡ１５０の利得を最大値に設定して、小さいＤＣオフセット電圧の検出を向上させる。
【００３６】
ステップ５３５で、コントローラ１３５は、ディジタルＤＣオフセット補償モジュール１１０の虚数信号入力を０に設定し、ディジタルＤＣオフセット補償モジュール１１０の実数信号入力に種々のＤＣオフセット電圧のセットを印加する。ステップ５４０で、アナログ無線送信機１２５の変調器１４５のＬＯ周波数において、実数信号入力に対する第１の最小検出測定値が、コントローラ１３５によって決定される。
【００３７】
ステップ５４５で、コントローラ１３５は、ディジタルＤＣオフセット補償モジュール１１０の実数信号入力を０に設定し、ディジタルＤＣオフセット補償モジュール１１０の虚数信号入力に種々のＤＣオフセット電圧のセットを印加する。ステップ５５０で、虚数信号入力についての第２の最小検出測定値が、アナログ無線送信機１２５の変調器１４５のＬＯ周波数で、コントローラ１３５によって決定される。
【００３８】
ステップ５５５で、第１および第２の最小検出測定値にそれぞれ基づいて、新しい第１および第２のＤＣオフセット補償値Ｋ１およびＫ２が、コントローラ１３５によって決定される。ステップ５６０で、新しい第１および第２のＤＣオフセット補償値Ｋ１およびＫ２は、メモリ１４０に記憶される。ステップ５６５で、新しい第１および第２のＤＣオフセット補償値Ｋ１およびＫ２は、ディジタルＤＣオフセット補償モジュール１１０に与えられる。ステップ５７０で、コントローラ１３５は、スイッチ１９８Ａおよび１９８Ｂに対して、ディジタルＤＣオフセット補償モジュール１１０の実数および虚数信号入力をコントローラ１３５から切断し、ディジタルＤＣオフセット補償モジュール１１０の実数および虚数信号入力を再びモデム１０５に接続するよう命令する。次いでプロセス５００は、別の温度変化または変動が温度センサ１６８によって検出されて、それによりＤＣオフセット補償値Ｋ１およびＫ２の別の更新が必要とされるまで、ステップ５０５に戻る。
【００３９】
任意選択で、ＤＣオフセット補償調整手順に関する前述のステップのすべてまたはいくつかは、ディジタル領域で実施されてもよい。この実施形態では例えば、再び図１を参照するが、ＤＡＣ１１５を利用してＤＣオフセット補正を実施することができる。必要なＤＣオフセット補正の量をコントローラ１３５が決定すると、このＤＣオフセットは、ＤＢＢ  ＲＦ送信機１００の実数および虚数信号成分にディジタル的に挿入されてよい。
【００４０】
代替の一実施形態では、コントローラ１３５を、検出アルゴリズムおよび検波器１６５と共に使用することができる。コントローラ１３５は、ディジタルＤＣオフセット補償モジュール１１０の実数と虚数の信号入力のＤＣレベルを同時に掃引する。アルゴリズムは、座標系アプリケーションを使用して少なくとも１つの最小検出測定値を決定するが、この座標系アプリケーションによれば、ディジタルＤＣオフセット補償モジュール１１０の実数および虚数信号入力のＤＣレベルが、それぞれｘ軸およびｙ軸に適用され、検波器１６５によって感知された検出測定値が、ｚ軸に適用される。
【００４１】
ステップ５１０で検出されるように、温度しきい値または変動を超えたとき、コントローラ１３５は、もう一度ＤＣレベルを掃引して最適な設定を見つけるのが好ましいことに留意されたい。これは、信号送信が行われている間は、行うことができない。しかし、温度に対するＤＣドリフトの方向がわかっている場合は、実際に測定を行わずに、ルックアップテーブル（ＬＵＴ）に基づく補正を自動的に適用することができる。好ましくは、ＬＵＴはメモリ１４０に記憶されており、コントローラ１３５からアクセスされる。
【００４２】
本発明を好ましい実施形態に関して特に図示し説明したが、以上に述べた本発明の範囲を逸脱することなく、形式および詳細の様々な変更を本発明に加えてもよいことは、当業者には理解されるであろう。
【図面の簡単な説明】
【００４３】
【図１】本発明の好ましい一実施形態にしたがって構成された、ディジタルＤＣオフセット補償モジュールを備えるＤＢＢ  ＲＦ送信機のブロック図である。
【図２】図１のＤＢＢ  ＲＦ送信機中のディジタルＤＣオフセット補償モジュールの例示的な構成を示す図である。
【図３】図１のＤＢＢ  ＲＦ送信機により処理される通信信号の例を示す図である。
【図４】図２のディジタルＤＣオフセット補償モジュールを調整するための少なくとも１つのＤＣオフセット補償値を決定するのに使用される、キャリアリーク対ＤＣオフセットの放物線関数を示すグラフである。
【図５Ａ】図５Ｂと共に、図２のディジタルＤＣオフセット補償モジュールを調整するための少なくとも１つのＤＣオフセット補償値を決定するのに使用される方法ステップを含むプロセスのフローチャートである。
【図５Ｂ】図５Ａと共に、図２のディジタルＤＣオフセット補償モジュールを調整するための少なくとも１つのＤＣオフセット補償値を決定するのに使用される方法ステップを含むプロセスのフローチャートである。
【図１】
2006527530.tif 000003
【図２】
2006527530.tif 000004
【図３】
2006527530.tif 000005
【図４】
2006527530.tif 000006
【図５Ａ】
2006527530.tif 000007
【図５Ｂ】
2006527530.tif 000008
【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
（ａ）実数および虚数信号入力を有するアナログ無線送信機と、
（ｂ）前記アナログ無線送信機と通信し、実数および虚数信号入力を有するディジタルＤＣオフセット補償モジュールであって、前記実数と虚数の信号入力の少なくとも一方のＤＣレベルを調整するように構成されたことと、
（ｃ）前記ディジタルＤＣオフセット補償モジュールと通信するコントローラであって、前記コントローラは、前記アナログ無線送信機中において発生するキャリアリークを抑制するのに使用される少なくとも１つのＤＣオフセット補償値を決定するように構成され、前記コントローラは、前記少なくとも１つのＤＣオフセット補償値に対応するレベルを有する少なくとも１つのＤＣオフセット信号を、前記実数と虚数の信号入力の少なくとも一方に与えることと、
（ｄ）前記コントローラと通信し、前記少なくとも１つのＤＣオフセット補償値を記憶するメモリと、
を備えることを特徴とするディジタルベースバンド（ＤＢＢ）送信機。
【請求項２】
前記アナログ無線送信機は、前記コントローラと通信する温度センサをさらに含み、前記温度センサが、所定のしきい値よりも大きい温度変化、または所定の値もしくは範囲を超える温度変動を検出した場合、前記コントローラは前記少なくとも１つのＤＣオフセット補償値を決定することを特徴とする請求項１に記載のＤＢＢ送信機。
【請求項３】
ガード時間で隔てられた第１および第２のタイムスロットを含む通信信号を処理し、前記コントローラは前記ガード時間の少なくとも一部の間に前記少なくとも１つのＤＣオフセット補償値を決定することを特徴とする請求項１に記載のＤＢＢ送信機。
【請求項４】
（ｅ）前記ディジタルＤＣオフセット補償モジュールの前記実数および虚数信号入力に選択的に接続され、実数および虚数信号出力を有するモデムと、
（ｆ）前記モデムの前記実数および虚数信号入力、前記ディジタルＤＣオフセット補償モジュールの前記実数および虚数信号入力、並びに前記コントローラにそれぞれ接続される第１および第２のスイッチであって、前記第１および第２のスイッチが前記モデムを前記ディジタルＤＣオフセット補償モジュールの前記実数および虚数信号入力から切断して、前記コントローラを前記ディジタルＤＣオフセット補償モジュールの前記実数および虚数信号入力に接続した後に、前記少なくとも１つのＤＣオフセット補償値が決定されることと、
をさらに備えることを特徴とする請求項１に記載のＤＢＢ送信機。
【請求項５】
前記ディジタルＤＣオフセット補償モジュールは、
（ｉ）前記ディジタルＤＣオフセット補償モジュールの前記実数信号入力に結合された第１の入力、および前記コントローラに結合された第２の入力を有する第１の加算器と、
（ｉｉ）前記ディジタルＤＣオフセット補償モジュールの前記虚数信号入力に結合された第１の入力、および前記コントローラに結合された第２の入力を有する第２の加算器であって、前記コントローラは、前記第１および第２の加算器の前記第２の入力にそれぞれのＤＣオフセット信号を与え、前記それぞれのＤＣオフセット信号は、前記コントローラによって決定された第１および第２のＤＣオフセット補償値にそれぞれ対応するレベルを有することと、
を含むことを特徴とする請求項１に記載のＤＢＢ送信機。
【請求項６】
前記コントローラは、前記少なくとも１つのＤＣオフセット補償値を決定する前に、先に決定されたＤＣオフセット補償値を０に設定することを特徴とする請求項１に記載のＤＢＢ送信機。
【請求項７】
前記アナログ無線送信機はさらに増幅器を含み、前記コントローラは、前記少なくとも１つのＤＣオフセット補償値を決定する前に、前記増幅器を最大利得レベルに設定することを特徴とする請求項１に記載のＤＢＢ送信機。
【請求項８】
前記コントローラは、前記ディジタルＤＣオフセット補償モジュールの前記虚数信号入力を無効として、前記ディジタルＤＣオフセット補償モジュールの前記実数信号入力に異なるＤＣオフセット電圧のセットを印加することを特徴とする請求項１に記載のＤＢＢ送信機。
【請求項９】
前記異なるＤＣオフセット電圧のセットは、ほぼ放物線の関数に従って印加され、前記コントローラは、前記放物線関数上の少なくとも３つの測定点の補間を実施して、前記放物線関数の最小値に関連付けられた最小検出測定値を決定することを特徴とする請求項８に記載のＤＢＢ送信機。
【請求項１０】
前記コントローラは、前記最小検出測定値に基づいて前記ＤＣオフセット補償値を決定することを特徴とする請求項９に記載のＤＢＢ送信機。
【請求項１１】
前記アナログ無線送信機は、ＬＯ周波数のＬＯ信号を出力する局部発振器（ＬＯ）を有する変調器を含み、前記最小検出測定値は前記ＬＯ周波数における前記実数信号入力に対して決定されることを特徴とする請求項１０に記載のＤＢＢ送信機。
【請求項１２】
前記コントローラは、前記ディジタルＤＣオフセット補償モジュールの前記実数信号入力を無効にして、前記ディジタルＤＣオフセット補償モジュールの前記虚数信号入力に異なるＤＣオフセット電圧のセットを印加することを特徴とする請求項１に記載のＤＢＢ送信機。
【請求項１３】
前記異なるＤＣオフセット電圧のセットは、ほぼ放物線の関数に従って印加され、前記コントローラは、前記放物線関数上の少なくとも３つの測定点の補間を実施して、前記放物線関数の最小値に関連付けられた最小検出測定値を決定することを特徴とする請求項１２に記載のＤＢＢ送信機。
【請求項１４】
前記コントローラは、前記最小検出測定値に基づいて前記ＤＣオフセット補償値を決定することを特徴とする請求項１３に記載のＤＢＢ送信機。
【請求項１５】
前記アナログ無線送信機は、ＬＯ周波数のＬＯ信号を出力する局部発振器（ＬＯ）を有する変調器をさらに含み、前記最小検出測定値は前記ＬＯ周波数において前記虚数信号入力に対して決定されることを特徴とする請求項１４に記載のＤＢＢ送信機。
【請求項１６】
（ａ）実数および虚数信号入力を有するアナログ無線送信機と、
（ｂ）前記アナログ無線送信機と通信し、実数および虚数信号入力を有するディジタルＤＣオフセット補償モジュールであって、前記実数と虚数の信号入力の少なくとも一方のＤＣレベルを調整するように構成されたことと、
（ｃ）前記ディジタルＤＣオフセット補償モジュールと通信するコントローラであって、前記コントローラは、前記アナログ無線送信機中で発生するキャリアリークを抑制するのに使用される少なくとも１つのＤＣオフセット補償値を決定するように構成され、前記コントローラは、前記少なくとも１つのＤＣオフセット補償値に対応するレベルを有する少なくとも１つのＤＣオフセット信号を、前記実数と虚数の信号入力の少なくとも一方に与えることと、
（ｄ）前記コントローラと通信し、前記少なくとも１つのＤＣオフセット補償値を記憶するメモリと、
を備えることを特徴とする無線送信／受信ユニット（ＷＴＲＵ）。
【請求項１７】
前記アナログ無線送信機は、前記コントローラと通信する温度センサをさらに含み、前記温度センサが、所定のしきい値よりも大きい温度変化、または所定の値もしくは範囲を超える温度変動を検出した場合、前記コントローラは前記少なくとも１つのＤＣオフセット補償値を決定することを特徴とする請求項１６に記載のＷＴＲＵ。
【請求項１８】
ガード時間で隔てられた第１および第２のタイムスロットを含む通信信号を処理し、前記コントローラは前記ガード時間の少なくとも一部の間に前記少なくとも１つのＤＣオフセット補償値を決定することを特徴とする請求項１６に記載のＷＴＲＵ。
【請求項１９】
（ｅ）前記ディジタルＤＣオフセット補償モジュールの前記実数および虚数信号入力に選択的に接続され、実数および虚数信号出力を有するモデムと、
（ｆ）前記モデムの前記実数および虚数信号出力、前記ディジタルＤＣオフセット補償モジュールの前記実数および虚数信号入力、並びに前記コントローラにそれぞれ接続される第１および第２のスイッチであって、前記第１および第２のスイッチが前記モデムを前記ディジタルＤＣオフセット補償モジュールの前記実数および虚数信号入力から切断して、前記コントローラを前記ディジタルＤＣオフセット補償モジュールの前記実数および虚数信号入力に接続した後に、前記少なくとも１つのＤＣオフセット補償値が決定されることと、
をさらに備えること特徴とする請求項１６に記載のＷＴＲＵ。
【請求項２０】
前記ディジタルＤＣオフセット補償モジュールは、
（ｉ）前記ディジタルＤＣオフセット補償モジュールの前記実数信号入力に結合された第１の入力、および前記コントローラに結合された第２の入力を有する第１の加算器と、
（ｉｉ）前記ディジタルＤＣオフセット補償モジュールの前記虚数信号入力に結合された第１の入力、および前記コントローラに結合された第２の入力を有する第２の加算器であって、前記コントローラは、前記第１および第２の加算器の前記第２の入力にそれぞれのＤＣオフセット信号を与え、前記それぞれのＤＣオフセット信号は、前記コントローラによって決定された第１および第２のＤＣオフセット補償値にそれぞれ対応するレベルを有することと、
を含むことを特徴とする請求項１６に記載のＷＴＲＵ。
【請求項２１】
前記コントローラは、前記少なくとも１つのＤＣオフセット補償値を決定する前に、先に決定されたＤＣオフセット補償値を０に設定することを特徴とする請求項１６に記載のＷＴＲＵ。
【請求項２２】
前記アナログ無線送信機はさらに増幅器を含み、前記コントローラは、前記少なくとも１つのＤＣオフセット補償値を決定する前に、前記増幅器を最大利得レベルに設定することを特徴とする請求項１６に記載のＷＴＲＵ。
【請求項２３】
前記コントローラは、前記ディジタルＤＣオフセット補償モジュールの前記虚数信号入力を無効にして、前記ディジタルＤＣオフセット補償モジュールの前記実数信号入力に異なるＤＣオフセット電圧のセットを印加することを特徴とする請求項１６に記載のＷＴＲＵ。
【請求項２４】
前記異なるＤＣオフセット電圧のセットは、ほぼ放物線の関数に従って印加され、前記コントローラは、前記放物線関数上の少なくとも３つの測定点の補間を実施して、前記放物線関数の最小値に関連付けられた最小検出測定値を決定することを特徴とする請求項２３に記載のＷＴＲＵ。
【請求項２５】
前記コントローラは、前記最小検出測定値に基づいて前記ＤＣオフセット補償値を決定することを特徴とする請求項２４に記載のＷＴＲＵ。
【請求項２６】
前記アナログ無線送信機は、ＬＯ周波数のＬＯ信号を出力する局部発振器（ＬＯ）を有する変調器を含み、前記最小検出測定値は前記ＬＯ周波数において前記実数信号入力に対して決定されることを特徴とする請求項２５に記載のＷＴＲＵ。
【請求項２７】
前記コントローラは、前記ディジタルＤＣオフセット補償モジュールの前記実数信号入力を無効にして、前記ディジタルＤＣオフセット補償モジュールの前記虚数信号入力に異なるＤＣオフセット電圧のセットを印加することを特徴とする請求項１６に記載のＷＴＲＵ。
【請求項２８】
前記異なるＤＣオフセット電圧のセットは、ほぼ放物線の関数に従って印加され、前記コントローラは、前記放物線関数上の少なくとも３つの測定点の補間を実施して、前記放物線関数の最小値に関連付けられた最小検出測定値を決定することを特徴とする請求項２７に記載のＷＴＲＵ。
【請求項２９】
前記コントローラは、前記最小検出測定値に基づいて前記ＤＣオフセット補償値を決定することを特徴とする請求項２８に記載のＷＴＲＵ。
【請求項３０】
前記アナログ無線送信機は、ＬＯ周波数のＬＯ信号を出力する局部発振器（ＬＯ）を有する変調器をさらに含み、前記最小検出測定値は前記ＬＯ周波数において前記虚数信号入力に対して決定されることを特徴とする請求項２９に記載のＷＴＲＵ。
【請求項３１】
（ａ）実数および虚数信号入力を有するアナログ無線送信機と、
（ｂ）前記アナログ無線送信機と通信し、実数および虚数信号入力を有するディジタルＤＣオフセット補償モジュールであって、前記実数と虚数の信号入力の少なくとも一方のＤＣレベルを調整するように構成されたことと、
（ｃ）前記ディジタルＤＣオフセット補償モジュールと通信するコントローラであって、前記コントローラは、前記アナログ無線送信機中で発生するキャリアリークを抑制するのに使用される少なくとも１つのＤＣオフセット補償値を決定するように構成され、前記コントローラは、前記少なくとも１つのＤＣオフセット補償値に対応するレベルを有する少なくとも１つのＤＣオフセット信号を、前記実数と虚数の信号入力の少なくとも一方に与えることと、
（ｄ）前記コントローラと通信し、前記少なくとも１つのＤＣオフセット補償値を記憶するメモリと、
を備えることを特徴とする集積回路（ＩＣ）。
【請求項３２】
前記アナログ無線送信機は、前記コントローラと通信する温度センサをさらに含み、前記温度センサが、所定のしきい値よりも大きい温度変化、または所定の値もしくは範囲を超える温度変動を検出した場合、前記コントローラは前記少なくとも１つのＤＣオフセット補償値を決定することを特徴とする請求項３１に記載のＩＣ。
【請求項３３】
ガード時間で隔てられた第１および第２のタイムスロットを含む通信信号を処理し、前記コントローラは前記ガード時間の少なくとも一部の間に前記少なくとも１つのＤＣオフセット補償値を決定することを特徴とする請求項３１に記載のＩＣ。
【請求項３４】
（ｅ）前記ディジタルＤＣオフセット補償モジュールの前記実数および虚数信号入力に選択的に接続され、実数および虚数信号出力を有するモデムと、
（ｆ）前記モデムの前記実数および虚数信号出力、並びに前記ディジタルＤＣオフセット補償モジュールの前記実数および虚数信号入力にそれぞれ接続される第１および第２のスイッチであって、前記第１および第２のスイッチが前記モデムを前記ディジタルＤＣオフセット補償モジュールの前記実数および虚数信号入力から切断して、前記コントローラを前記ディジタルＤＣオフセット補償モジュールの前記実数および虚数信号入力に接続した後に、前記少なくとも１つのＤＣオフセット補償値が決定されることと、
をさらに備えること特徴とする請求項３１に記載のＩＣ。
【請求項３５】
前記ディジタルＤＣオフセット補償モジュールは、
（ｉ）前記ディジタルＤＣオフセット補償モジュールの前記実数信号入力に結合された第１の入力、および前記コントローラに結合された第２の入力を有する第１の加算器と、
（ｉｉ）前記ディジタルＤＣオフセット補償モジュールの前記虚数信号入力に結合された第１の入力、および前記コントローラに結合された第２の入力を有する第２の加算器であって、前記コントローラは、前記第１および第２の加算器の前記第２の入力にそれぞれのＤＣオフセット信号を提供し、前記それぞれのＤＣオフセット信号は、前記コントローラによって決定された第１および第２のＤＣオフセット補償値にそれぞれ対応するレベルを有することと、
を含むことを特徴とする請求項３１に記載のＩＣ。
【請求項３６】
前記コントローラは、前記少なくとも１つのＤＣオフセット補償値を決定する前に、先に決定されたＤＣオフセット補償値を０に設定することを特徴とする請求項３１に記載のＩＣ。
【請求項３７】
前記アナログ無線送信機はさらに増幅器を含み、前記コントローラは、前記少なくとも１つのＤＣオフセット補償値を決定する前に、前記増幅器を最大利得レベルに設定することを特徴とする請求項３１に記載のＩＣ。
【請求項３８】
前記コントローラは、前記ディジタルＤＣオフセット補償モジュールの前記虚数信号入力を無効にして、前記ディジタルＤＣオフセット補償モジュールの前記実数信号入力に異なるＤＣオフセット電圧のセットを印加することを特徴とする請求項３１に記載のＩＣ。
【請求項３９】
前記異なるＤＣオフセット電圧のセットは、ほぼ放物線の関数に従って印加され、前記コントローラは、前記放物線関数上の少なくとも３つの測定点の補間を実施して、前記放物線関数の最小値に関連付けられた最小検出測定値を決定することを特徴とする請求項３８に記載のＩＣ。
【請求項４０】
前記コントローラは、前記最小検出測定値に基づいて前記ＤＣオフセット補償値を決定することを特徴とする請求項３９に記載のＩＣ。
【請求項４１】
前記アナログ無線送信機は、ＬＯ周波数のＬＯ信号を出力する局部発振器（ＬＯ）を有する変調器を含み、前記最小検出測定値は前記ＬＯ周波数において前記実数信号入力に対して決定されることを特徴とする請求項４０に記載のＩＣ。
【請求項４２】
前記コントローラは、前記ディジタルＤＣオフセット補償モジュールの前記実数信号入力を無効にして、前記ディジタルＤＣオフセット補償モジュールの前記虚数信号入力に異なるＤＣオフセット電圧のセットを印加することを特徴とする請求項３１に記載のＩＣ。
【請求項４３】
前記異なるＤＣオフセット電圧のセットは、ほぼ放物線の関数に従って印加され、前記コントローラは、前記放物線関数上の少なくとも３つの測定点の補間を実施して、前記放物線関数の最小値に関連付けられた最小検出測定値を決定することを特徴とする請求項４２に記載のＩＣ。
【請求項４４】
前記コントローラは、前記最小検出測定値に基づいて前記ＤＣオフセット補償値を決定することを特徴とする請求項４３に記載のＩＣ。
【請求項４５】
前記アナログ無線送信機は、ＬＯ周波数のＬＯ信号を出力する局部発振器（ＬＯ）を有する変調器をさらに含み、前記最小検出測定値は前記ＬＯ周波数において前記虚数信号入力に対して決定されることを特徴とする請求項４４に記載のＩＣ。
【請求項４６】
実数および虚数信号入力を有するアナログ無線送信機と、前記アナログ無線送信機と通信し、実数および虚数信号入力を有するディジタルＤＣオフセット補償モジュールと、前記ディジタルＤＣオフセット補償モジュールと通信するコントローラとを備える無線通信システム中において、前記実数と虚数の信号入力の少なくとも一方のＤＣレベルを調整する方法であって、
（ａ）前記コントローラが、前記アナログ無線送信機中で発生するキャリアリークを抑制するのに使用される少なくとも１つのＤＣオフセット補償値を決定するステップと、
（ｂ）前記コントローラが、前記少なくとも１つのＤＣオフセット補償値に対応するレベルを有する少なくとも１つのＤＣオフセット信号を、前記実数と虚数の信号入力の少なくとも一方に与えるステップと、
（ｃ）前記少なくとも１つのＤＣオフセット補償値をメモリに記憶するステップと、
を備えることを特徴とする方法。
【請求項４７】
前記アナログ無線送信機は、前記コントローラと通信する温度センサをさらに含み、前記温度センサが、所定のしきい値よりも大きい温度変化、または所定の値もしくは範囲を超える温度変動を検出したのに応答して、前記ステップ（ａ）が実施されることを特徴とする請求項４６に記載の方法。
【請求項４８】
前記通信システムは、ガード時間で隔てられた第１および第２のタイムスロットを含む通信信号を処理し、前記コントローラは前記ガード時間の少なくとも一部の間に前記少なくとも１つのＤＣオフセット補償値を決定することを特徴とする請求項４６に記載の方法。
【請求項４９】
前記アナログ無線送信機は、増幅器をさらに含み、
（ｄ）前記コントローラが、先に決定されたＤＣオフセット補償値を０に設定するステップと、
（ｅ）前記コントローラが、前記増幅器を最大利得レベルに設定するステップと、
をさらに備えることを特徴とする請求項４６に記載の方法。
【請求項５０】
（ｄ）前記コントローラを前記ディジタルＤＣオフセット補償モジュールの前記実数および虚数信号入力に接続するステップと、
（ｅ）前記コントローラが前記ディジタルＤＣオフセット補償モジュールの前記虚数信号入力を無効にして、ほぼ放物線の関数に従って、前記ディジタルＤＣオフセット補償モジュールの前記実数信号入力に異なるＤＣオフセット電圧のセットを印加するステップと、
（ｆ）前記コントローラが前記放物線関数上の少なくとも３つの測定点の補間を実施して、前記放物線関数の最小値に関連付けられた最小検出測定値を決定するステップと、
（ｇ）前記コントローラが前記最小検出測定値に基づいて前記ＤＣオフセット補償値を決定するステップと、
をさらに備えることを特徴とする請求項４６に記載の方法。
【請求項５１】
前記アナログ無線送信機は、ＬＯ周波数のＬＯ信号を出力する局部発振器（ＬＯ）を有する変調器をさらに含み、前記最小検出測定値は前記ＬＯ周波数において前記実数信号入力に対して決定されることを特徴とする請求項５０に記載の方法。
【請求項５２】
（ｄ）前記コントローラを前記ディジタルＤＣオフセット補償モジュールの前記実数および虚数信号入力に接続するステップと、
（ｅ）前記コントローラが前記ディジタルＤＣオフセット補償モジュールの前記実数信号入力を無効にして、ほぼ放物線の関数に従って、前記ディジタルＤＣオフセット補償モジュールの前記虚数信号入力に異なるＤＣオフセット電圧のセットを印加するステップと、
（ｆ）前記コントローラが前記放物線関数上の少なくとも３つの測定点の補間を実施して、前記放物線関数の最小値に関連付けられた最小検出測定値を決定するステップと、
（ｇ）前記コントローラが前記最小検出測定値に基づいて前記ＤＣオフセット補償値を決定するステップと、
をさらに備えることを特徴とする請求項４６に記載の方法。
【請求項５３】
前記アナログ無線送信機は、ＬＯ周波数のＬＯ信号を出力する局部発振器（ＬＯ）を有する変調器をさらに含み、前記最小検出測定値は前記ＬＯ周波数において前記虚数信号入力に対して決定されることを特徴とする請求項５２に記載の方法。
【国際調査報告】
2006527530.tif 000009
2006527530.tif 000010